(57)【要約】      （修正有）【課題】主として電子機器の動作状況を表示光により使用者に通知するための照光装置を対象とし、光表示の視認性を向上させることの可能な電子機器の照光装置を提供する。【解決手段】透光性を有する材料によってロッド状に形成され、かつ横断面を連続した曲線によって閉じられた形状に形成され、電子機器における筐体の外面部に設置された導光・照明部材１０と、導光・照明部材における少なくとも一方の端部に臨んで設置され、導光・照明部材に表示光を入射させるための光源２１，２２と、電子機器の筐体５における導光・照明部材の設置部に設けられ、導光・照明部材の背面から漏洩した表示光を電子機器の外方へ反射させるための表示光反射手段とを備えている。【選択図】図３
2005202318.tif 000002
【特許請求の範囲】
【請求項１】
透光性を有する材料によってロッド状に形成され、かつ横断面を連続した曲線によって閉じられた形状に形成され、電子機器における筐体の外面部に設置された導光・照明部材と、
前記導光・照明部材における少なくとも一方の端部に臨んで設置され、前記導光・照明部材に表示光を入射させるための光源と、
前記電子機器の筐体における前記導光・照明部材の設置部に設けられ、前記導光・照明部材の背面から漏洩した表示光を前記電子機器の外方へ反射させるための表示光反射手段と、
を備えて成ることを特徴とする電子機器の照光装置。
【請求項２】
前記導光・照明部材が、その長手方向に湾曲部位を有して延設されていることを特徴とする請求項１記載の電子機器の照光装置。
【請求項３】
前記導光・照明部材における背面に、前記導光・照明部材の内部において表示光を乱反射させるための凹凸部を形成したことを特徴とする請求項１または請求項２記載の電子機器の照光装置。
【請求項４】
透光性を有する材料によってロッド状に形成され、かつ長手方向に湾曲部位を有する略Ｕ字形状に延設されるとともに、横断面を連続した曲線によって閉じられた形状に形成され、電子機器における筐体の外面部に設置された導光・照明部材と、
前記導光・照明部材における一方の端部に臨んで設置され、前記導光・照明部材に表示光を入射させるための第１の光源と、
前記導光・照明部材における他方の端部に臨んで設置され、前記導光・照明部材に表示光を入射させるための第２の光源と、
前記電子機器の筐体における前記導光・照明部材の設置部に設けられ、前記導光・照明部材の背面から漏洩した表示光を前記電子機器の外方へ反射させるための表示光反射手段と、
を備えて成ることを特徴とする電子機器の照光装置。
【請求項５】
前記導光・照明部材における一方の端部に臨む第１の光源と、前記導光・照明部材における他方の端部に臨む第２の光源とを、互いに発光色の相違する光源によって構成したことを特徴とする請求項４記載の電子機器の照光装置。
【請求項６】
前記導光・照明部材における背面に、前記導光・照明部材の内部において表示光を乱反射させるための凹凸部を形成したことを特徴とする請求項４または請求項５記載の電子機器の照光装置。
【発明の詳細な説明】
【技術分野】
【０００１】
本発明は、電子機器の照光装置に関するものであり、主として電子機器の動作状況を表示光によって使用者に通知するための照光装置に関するものである。
【背景技術】
【０００２】
例えば、電子機器の一例である携帯電話機においては、一般に着信等の動作状況を表示光によって使用者に通知するための照光装置が搭載されており、図１２(ａ)に示した折畳み式の携帯電話機Ａにおいては、上筐体Ａａの内部に設置した光源であるＬＥＤ(発光ダイオード)の動作によって、上筐体Ａａの外面に取付けた小型レンズＡｒを点面発光させることで、着信等の動作状況を使用者に通知するよう構成されている。
【０００３】
しかし、上述の如く小型レンズＡｒを点面発光させる構成では、光表示される部位(面積)が極めて小さいために、例えば使用者の指等の障害物によって小型レンズＡｒが覆われた場合、使用者が光表示を見落としてしまう等の不都合があった。
【０００４】
このような不都合を解消するべく、図１２(ｂ)に示した折畳み式の携帯電話機Ｂでは、上筐体Ｂａの内部に液晶パネルのバックライトと同様に構成された照明手段を設置し、この照明手段によって透光体から成る外装パネルＢｐを広い面積に亘り発光させて光表示を行うよう構成している。
【０００５】
ここで、上記照明手段は、透光性を有する導光板の裏面に反射シートを取付け、上記導光板の側面に近接して設置した光源からの光を内部反射させて導光板の全域を照明するよう構成されており、このような照明手段の基礎となるバックライトの構造は、従来より数多くの文献によって開示されている(例えば、特許文献１参照)。
【特許文献１】特開平１０−１０４６１９号公報
【発明の開示】
【発明が解決しようとする課題】
【０００６】
ところで、図１２(ｂ)に示した携帯電話機Ｂにおいては、上筐体Ｂａの内部に設置した照明手段により、外装パネルＢｐの全体が照明されることで、光表示の部位(面積)が小さいことに起因する視認性の低下を未然に防止できる。
【０００７】
反面、携帯電話機Ｂの照光装置を構成する上記照明手段は、限られた光源からの光を内部反射させて導光板の広い範囲を照光しているため、光の減衰等によって全体としての照度が低下したり、さらには部分的な照度の「むら」が生じる問題があり、これによって光表示の視認性が著しく低下する虞れがあった。
【０００８】
上記実状に鑑みて、本発明の目的は光表示の視認性を大幅に向上させることの可能な電子機器の照光装置を提供することにある。
【課題を解決するための手段】
【０００９】
上記目的を達成するべく、請求項１に関わる電子機器の照光装置は、透光性を有する材料によってロッド状に形成され、かつ横断面を連続した曲線によって閉じられた形状に形成され、電子機器における筐体の外面部に設置された導光・照明部材と、導光・照明部材における少なくとも一方の端部に臨んで設置され、導光・照明部材に表示光を入射させるための光源と、電子機器の筐体における導光・照明部材の設置部に設けられ、導光・照明部材の背面から漏洩した表示光を電子機器の外方へ反射させるための表示光反射手段とを備えて成ることを特徴としている。
【００１０】
請求項２の発明に関わる電子機器の照光装置は、請求項１の発明に関わる電子機器の照光装置において、導光・照明部材が、その長手方向に湾曲部位を有して延設されていることを特徴としている。
【００１１】
請求項３の発明に関わる電子機器の照光装置は、請求項１または請求項２の発明に関わる電子機器の照光装置において、導光・照明部材における背面に、上記導光・照明部材の内部で表示光を乱反射させるための凹凸部を形成したことを特徴としている。
【００１２】
請求項４の発明に関わる電子機器の照光装置は、透光性を有する材料によってロッド状に形成され、かつ長手方向に湾曲部位を有する略Ｕ字形状に延設されるとともに、横断面を連続した曲線によって閉じられた形状に形成され、電子機器における筐体の外面部に設置された導光・照明部材と、導光・照明部材における一方の端部に臨んで設置され、上記導光・照明部材に表示光を入射させるための第１の光源と、導光・照明部材における他方の端部に臨んで設置され、上記導光・照明部材に表示光を入射させるための第２の光源と、電子機器の筐体における導光・照明部材の設置部に設けられ、導光・照明部材の背面から漏洩した表示光を電子機器の外方へ反射させるための表示光反射手段とを備えて成ることを特徴としている。
【００１３】
請求項５の発明に関わる電子機器の照光装置は、請求項４の発明に関わる電子機器の照光装置において、導光・照明部材における一方の端部に臨む第１の光源と、導光・照明部材における他方の端部に臨む第２の光源とを、互いに発光色の相違する光源によって構成したことを特徴としている。
【００１４】
請求項６の発明に関わる電子機器の照光装置は、請求項４または請求項５の発明に関わる電子機器の照光装置において、導光・照明部材における背面に、上記導光・照明部材の内部で表示光を乱反射させるための凹凸部を形成したことを特徴としている。
【発明の効果】
【００１５】
請求項１の発明に関わる電子機器の照光装置によれば、導光・照明部材における横断面を、連続した曲線によって閉じられた形状としたことで、光源から入射された表示光が導光・照明部材の内部において効率よく内面反射するため、ロッド状を呈する導光・照明部材の全域に亘って照光することができ、併せて電子機器の筐体に表示光反射手段を設けたことで、導光・照明部材の全体が均等かつ明るく照光されることとなり、もって光表示の視認性を大幅に向上させることが可能となる。
【００１６】
請求項２の発明に関わる電子機器の照光装置によれば、請求項１の発明に関わる電子機器の照光装置と同様、光表示の視認性を大幅に向上させることができるとともに、導光・照明部材に湾曲部位を設けていることにより、電子機器の形状に合わせて上記導光・照明部材を作り込むことが可能となる。
【００１７】
請求項３の発明に関わる電子機器の照光装置によれば、請求項１の発明に関わる電子機器の照光装置と同様、光表示の視認性を大幅に向上させることができるとともに、導光・照明部材の背面に凹凸部を形成したことで、上記導光・照明部材の内部で表示光が乱反射することにより、光表示の視認性を更に向上させることが可能となる。
【００１８】
請求項４の発明に関わる電子機器の照光装置によれば、導光・照明部材を長手方向に湾曲部位を有する略Ｕ字形状に延設するとともに、導光・照明部材における横断面を連続した曲線によって閉じられた形状としたことで、光源から入射された表示光が導光・照明部材の内部において効率よく内面反射するとともに、導光・照明部材における一方の端部と他方の端部とに臨んで、それぞれ第１の光源と第２の光源とを設置したことにより、ロッド状を呈する導光・照明部材の全域に亘って照明することができ、併せて電子機器の筐体に表示光反射手段を設けたことで、導光・照明部材の全体が均等かつ明るく照光されることとなり、もって光表示の視認性を大幅に向上させることが可能となる。  
さらに、請求項４の発明に関わる電子機器の照光装置によれば、光表示の視認性を大幅に向上させることが可能となるとともに、導光・照明部材に湾曲部位を設けていることにより、電子機器の形状に合わせて上記導光・照明部材を作り込むことが可能となる。
【００１９】
請求項５の発明に関わる電子機器の照光装置によれば、請求項４の発明に関わる電子機器の照光装置と同様、光表示の視認性を大幅に向上させることができるとともに、第１の光源と第２の光源とを互いに発光色の相違する光源によって構成したことで、各光源における発光色を混ざり合わせた任意の色彩の光によって上記導光・照明部材を照光することができる。
【００２０】
請求項６の発明に関わる電子機器の照光装置によれば、請求項４の発明に関わる電子機器の照光装置と同様、光表示の視認性を大幅に向上させることができるとともに、導光・照明部材の背面に凹凸部を形成したことにより、上記導光・照明部材の内部において表示光が乱反射することで、光表示の視認性を更に向上させることが可能となる。
【発明を実施するための最良の形態】
【００２１】
以下、実施例を示す図面に基づいて、本発明を詳細に説明する。  
図１〜図９は、本発明に関わる電子機器の照光装置を、電子機器の一態様である折畳み式の携帯電話機に適用した例を示している。
【００２２】
図１および図２に示す如く、折畳み式の携帯電話機１は、本体２と該本体２に対して開閉自在に連結された蓋体３とを具備し、上記本体２には送話部やキー操作部等(図示せず)が設けられている一方、上記蓋体３には受話部や液晶表示部等(図示せず)が設けられている。
【００２３】
上記蓋体３は、互いに組付けられた内ケース４および外ケース５と、上記外ケース５の外面に取付けられた外装パネル６とを有しており、上記蓋体３には後述する導光・照明部材１０、ＬＥＤ２１，２２、および表示光反射手段３０を構成要素とする照光装置が搭載されている。
【００２４】
照光装置を構成する導光・照明部材１０は、図３およ図４に示す如く、ロッド状を呈するとともに長手方向に湾曲部位１０ｃを有して略Ｕ字形状に延設された本体１０Ａと、該本体１０Ａの一方の端部１０ａおよび他方の端部１０ｂに設けられた箱状のホルダ１０Ｈ，１０Ｈとから成り、透光性を有する材料の１つであるポリカーボネート樹脂を用いて一体に形成されている。
【００２５】
ここで、略Ｕ字形状を呈している本体１０Ａの平面形は、上記蓋体３の平面形状に倣って形成されたものであることは言うまでもない。言い換えれば、湾曲部位１０ｃを設けて所定の形状とすることで、導光・照明部材１０を携帯電話機１の形状に合わせて作り込むことを可能としている。
【００２６】
上記導光・照明部材１０は、蓋体３における外ケース５の外面に設置されており、上記外ケース５には、図４に示す如く導光・照明部材１０の本体１０Ａに対応した略Ｕ字形状の取付溝５Ｇと、導光・照明部材１０のホルダ１０Ｈ，１０Ｈに対応した矩形状の取付孔５Ｈ，５Ｈとが形成されている。
【００２７】
導光・照明部材１０の本体１０Ａを外ケース５の取付溝５Ｇに収容し、導光・照明部材１０のホルダ１０Ｈ，１０Ｈを外ケース５の取付孔５Ｈ，５Ｈに嵌合するとともに、導光・照明部材１０の本体１０Ａに設けたピン１０ｐを外ケース５のピン孔５ｏに嵌合させることで、上記導光・照明部材１０は外ケース５の所定位置に設置されることとなる。
【００２８】
ここで、導光・照明部材１０における本体１０Ａの横断面は、図６に示す如く連続した曲線によって閉じられた形状を呈しており、上記本体１０Ａの表示面１０ｕは外ケース５の外面形状に倣って緩やかに傾斜しているとともに、上記本体１０Ａの背面１０ｌは下方へ向けて半楕円形状に張り出している。
【００２９】
これに対して、外ケース５における取付溝５Ｇの断面形状は、上記導光・照明部材１０における本体１０Ａの横断面形状に倣った緩いＵ字形状を呈している。
【００３０】
なお、導光・照明部材１０における本体１０Ａの横断面は、図６に示した如き形状に限定されるものではなく、例えば楕円形状や丸形状等の様々な形状をも採用し得ることは勿論であり、さらに外形に部分的な直線部分を含む横断面形状とすることも可能である。また、外ケース５における取付溝５Ｇの断面形状は、導光・照明部材における本体の横断面に倣った形状とすることが好ましい。
【００３１】
一方、図７および図８に示す如く、蓋体３の内部に収容設置された配線基板７には、第１の光源としてのＬＥＤ２１と、第２の光源としてのＬＥＤ２２とが実装されており、これらＬＥＤ２１およびＬＥＤ２２は、外ケース５に設置された導光・照明部材１０のホルダ１０Ｈ，１０Ｈに収容され、その照射方向は各々本体１０Ａにおける一方の端部１０ａおよび他方の端部１０ｂに臨んでいる。
【００３２】
また、上記ＬＥＤ２１およびＬＥＤ２２は、導光・照明部材１０の本体１０Ａに表示光を入射させるもので、共に横向き発光(ライトアングル)タイプのＬＥＤであり、かつ互いに発光色の相違するＬＥＤによって構成されている。
【００３３】
図９に示す如く、導光・照明部材１０における本体１０Ａの背面１０ｌには、上記ＬＥＤ２１およびＬＥＤ２２から入射された表示光を、本体１０Ａの内部において乱反射させるための微小なシボ(凹凸部)１０ｒが、上記本体１０Ａの全長に亘って形成されている。
【００３４】
一方、外ケース５において導光・照明部材１０の設置部を構成する取付溝５Ｇの表面には、外ケース５の全体が白色に着色された樹脂材料から成形されていることで、この白色の成形色によって導光・照明部材１０の背面１０ｌから漏洩した表示光を反射させるための表示光反射手段３０(図４、図９)が構成されている。
【００３５】
なお、表示光反射手段としては、上述の如く上ケース５の成形色を利用する以外にも、取付溝５Ｇの表面に反射率の高い色を塗装または印刷する、あるいは取付溝５Ｇに反射率の高い色のシールを貼設する等、様々な構成を採用することが可能である。
【００３６】
外ケース５の外面に取付けられた外装パネル６は、外ケース５に設置された導光・照明部材１０を覆うとともに蓋体３の外観を構成する部材であって、ポリカーボネート等の透光性を有する材料から形成され、かつ本実施例においては乳白色に着色されている。
【００３７】
上述した如き構成の照光装置を搭載した携帯電話機１では、着信等の動作に基づいてＬＥＤ２１およびＬＥＤ２２が点灯すると、導光・照明部材１０における本体１０Ａの一方の端部１０ａから、第１の光源であるＬＥＤ２１の光が本体１０Ａに入射するとともに、導光・照明部材１０における本体１０Ａの他方の端部１０ｂから、第２の光源であるＬＥＤ２２の光が本体１０Ａに入射し、それぞれの表示光は内面反射を繰り返して本体１０Ａの内部を進行して行く。
【００３８】
ここで、導光・照明部材１０における本体１０Ａの横断面が、上述した如く連続した曲線によって閉じられた形状(図６参照)を呈していることから、ＬＥＤ２１およびＬＥＤ２２から入射された表示光は、導光・照明部材１０の内部において効率よく内面反射を繰り返すこととなる。
【００３９】
すなわち、導光・照明部材の横断面が矩形状であった場合、表示光が導光・照明部材の角部(隅部)に集中し、ここから外部へ漏洩する光量が増加する等の理由によって表示光の進行にロスが生じるのに対し、上述した導光・照明部材１０における本体１０Ａの横断面には角部(隅部)が存在しいないため、入射された表示光がロスなく内面反射を繰り返すことにより長い距離に亘って伝達されることとなる。
【００４０】
また、上記導光・照明部材１０における本体１０Ａの平面形状も、湾曲部１０ｃを設けて略Ｕ字形状としているので、言い換えれば角部を設けることなく所定の平面形状としているので、上述したと同様の理由によって入射された表示光がロスなく内面反射を繰り返し、本体１０Ａの内部を長い距離に亘って伝達されることとなる。
【００４１】
因みに、導光・照明部材１０の本体１０Ａにおける湾曲部１０ｃの曲率は、導光・照明部材１０を構成する材料の光透過率や反射率、さらにはＬＥＤ２１およびＬＥＤ２２の発光色の波長等に鑑みて、筐体３の形状等によって制約される設計条件の範囲内において、最も効率よく表示光を伝達させ得る値(曲率)に設定されることは言うまでもない。
【００４２】
ここで、本体１０Ａの一方の端部１０ａから入射したＬＥＤ２１の光、および本体１０Ａの他方の端部１０ｂから入射したＬＥＤ２２の光は、それぞれ湾曲部１０ｃを越えた部位にまで到達するため、ＬＥＤ２１およびＬＥＤ２１によって本体１０Ａの全域が有効に照光されることとなる。
【００４３】
また、本体１０Ａに入射したＬＥＤ２１およびＬＥＤ２２からの表示光は、背面１０ｌに設けたシボ(凹凸部)１０ｒにより乱反射するために、本体１０Ａの内部において拡散されることとなり、これによって本体１０Ａの全域が有効に照光されることとなる。
【００４４】
さらに、外ケース５の取付溝５Ｇに設けた表示光反射手段３０により、本体１０Ａの背面１０ｌから漏洩した表示光が反射され、この表示光が再び本体１０Ａに入射されることによって、本体１０Ａにおける照光の輝度が大幅に向上することとなる。
【００４５】
上記導光・照明部材１０における本体１０Ａの照光は、外ケース５に取付けられた外装パネル６を透過し、この表示光によって携帯電話機１の動作状況(着信)が使用者に通知されることとなる。なお、外装パネル６が乳白色に着色されていることで、表示光は外装パネル６上において拡散して視認されることとなる。
【００４６】
上述した如く、本発明に関わる照光装置の実施例によれば、携帯電話機１における蓋体３の外形に倣って延びる導光・照明部材１０の全体が、光源であるＬＥＤ２１、２２によって均等かつ明るく照光されることとなり、もって携帯電話機１の動作状況を使用者に通知する光表示の視認性が大幅に向上することとなる。
【００４７】
また、本発明に関わる照光装置の実施例では、ＬＥＤ２１およびＬＥＤ２２を互いに発光色の相違するＬＥＤによって構成しているため、例えば第１の光源であるＬＥＤ２１の発光色を赤色とし、第２の光源であるＬＥＤ２２の発光色を青色とした場合、導光・照明部材１０における本体１０Ａの湾曲部１０ｃは、赤色と青色とが混色された紫色の表示光で照光されることとなり、本体１０Ａの長手方向に沿って表示光が赤色から紫色へと変化し、さらに紫色から青色へと変化することによって、表示光の視認性が向上するとともに美感の向上をも図ることができる。
【００４８】
因みに、ＬＥＤ２１およびＬＥＤ２２の発光色は、上述した赤色と青色とに限定されるものではなく、所望する照光の色彩に基づいて任意に決定し得ることは言うまでもない。
【００４９】
なお、上述した実施例においては、導光・照明部材１０をポリカーボネート樹脂によって形成しているが、上記ポリカーボネート樹脂以外の透光性を有する様々な材料、例えばアクリル樹脂等によって導光・照明部材を構成し得ることは言うまでもない。
【００５０】
また、上述した実施例においては、導光・照明部材１０からの照光を拡散させるために、該導光・照明部材１０を覆う外装パネル６を乳白色としたが、任意の彩色に着色することも可能であり、さらには照光を際立たせるためにダイヤカット等の加工を施しても良い。
【００５１】
また、上述した実施例の携帯電話機１においては、外ケース５に取付けた外装パネル６によって導光・照明部材１０を覆っているが、外ケースに外装パネルを取付けることなく構成された携帯電話機において、外ケースの外面部に装着した導光・照明部材を直接に露出させるよう構成しても良い。
【００５２】
図１０は、本発明に関わる照光装置を搭載した他の携帯電話機を示しており、この携帯電話機１′に搭載された照光装置は、直線のロッド状を呈する導光・照明部材１０′と、この導光・照明部材１０′における一方の端部１０ａ′に臨んで設置された光源としてのＬＥＤ２１′とを有している。
【００５３】
ここで、上述した携帯電話機１′における照光装置の構成は、導光・照明部材１０′の平面形状以外、図１〜図９に示した携帯電話機１の照光装置と基本的に同一であり、例えば導光・照明部材１０′の横断面が連続した曲線によって閉じられた形状とされている点や、蓋体３′の外ケース５′に表示光反射手段が設けられている点、さらには導光・照明部材１０′の背面にシボ(凹凸部)が設けられている点等は、携帯電話機１における照光装置と何ら変わるところはない。
【００５４】
かくして、図１０に示した携帯電話機１′に搭載された照光装置によれば、図１〜図９に示した携帯電話機１の照光装置と同じく、導光・照明部材１０′の全体がＬＥＤ２１′によって均等かつ明るく照光されることとなり、もって携帯電話機１′の動作状況を使用者に通知する光表示の視認性が大幅に向上することとなる。
【００５５】
図１１は、本発明に関わる照光装置を搭載した更に他の携帯電話機を示しており、この携帯電話機１″に搭載された照光装置は、ロッド状を呈するとともに長手方向に湾曲部位１０ｃ″を有して略Ｊ字形状に延びる導光・照明部材１０″と、この導光・照明部材１０″における一方の端部１０ａ′に臨んで設置された光源としてのＬＥＤ２１″とを有している。
【００５６】
ここで、上述した携帯電話機１″における照光装置の構成は、導光・照明部材１０″の平面形状以外、図１〜図９に示した携帯電話機１の照光装置と基本的に同一であり、例えば導光・照明部材１０″の横断面が連続した曲線によって閉じられた形状とされている点や、蓋体３″の外ケース５″に表示光反射手段が設けられている点、さらには導光・照明部材１０″の背面にシボ(凹凸部)が設けられている点等は、携帯電話機１における照光装置と何ら変わるところはない。
【００５７】
かくして、図１１に示した携帯電話機１″に搭載された照光装置によれば、図１〜図９に示した携帯電話機１の照光装置と同じく、導光・照明部材１０″の全体がＬＥＤ２１″によって均等かつ明るく照光されることとなり、もって携帯電話機１″の動作状況を使用者に通知する光表示の視認性が大幅に向上することとなる。
【００５８】
また、湾曲部位１０ｃ″によって略Ｊ字形状を呈する導光・照明部材１０″の平面形は、携帯電話機１″の平面形状に倣って形成されたものであり、言い換えれば湾曲部位１０ｃ″を設けて所定の形状とすることで、導光・照明部材１０゛を携帯電話機１″の形状に合わせて作り込むことが可能となる。
【００５９】
因みに、図１０に示した携帯電話機１′の照光装置では、図中に鎖線で示す如く、導光・照明部材１０′における他方の端部１０ｂ′に臨んでＬＥＤ２２′を追加設置することも可能であり、これによって導光・照明部材１０′における照光の輝度が向上することとなる。
【００６０】
同じく、図１１に示した携帯電話機１″の照光装置においても、図中に鎖線で示す如く、導光・照明部材１０″における他方の端部１０ｂ″に臨んでＬＥＤ２２″を追加設置することも可能であり、これによって導光・照明部材１０″における照光の輝度が向上することとなる。
【００６１】
さらに、図１１中におけるＬＥＤ２１′とＬＥＤ２２′との発光色を互いに相違させる、あるいは図１２中におけるＬＥＤ２１″とＬＥＤ２２″との発光色を互いに相違させることにより、導光・照明部材１０′あるいは導光・照明部材１０″の長手方向に沿って表示光の色彩を変化させることが可能となり、これによって表示光の視認性が向上するとともに美感の向上をも図ることができる。
【００６２】
なお、上述した各実施例においては、本発明に関わる照光装置を電子機器の一態様である折畳み式携帯電話機に搭載した例を示したが、携帯電話機やＰＤＡ(パーソナル・データ・アシスタンス)等の携帯情報端末のみならず、家庭電化製品等の様々な電子機器の照光装置としても本発明を有効に適用し得ることは言うまでもない。
【００６３】
さらに、上述した各実施例においては、電子機器の動作状況を表示光によって使用者に通知するための照光装置を例示したが、表示光を電子機器の外観を装飾するための手段として使用する照光装置においても本発明を有効に適用し得ることは言うまでもない。
【図面の簡単な説明】
【００６４】
【図１】本発明に関わる照光装置を搭載した電子機器の一実施例である折畳み式携帯電話機を示す外観斜視図。
【図２】図１における折畳み式携帯電話機から外装パネルを取外した状態を示す分解斜視図。
【図３】図１における折畳み式携帯電話機から外装パネルを取外した状態を示す平面図。
【図４】図１における折畳み式携帯電話機の外ケース、導光・照明部材および外装パネルを示す分解斜視図。
【図５】図１の折畳み式携帯電話機に搭載された照光装置を概念的に示す平面図。
【図６】図３中の VI−VI 線断面図。
【図７】図３中の VII−VII 線断面図。
【図８】図３中の VIII−VIII 線断面図。
【図９】図１における折畳み式携帯電話機の要部を拡大して示す断面図。
【図１０】折畳み式携帯電話機に搭載された本発明に関わる照光装置の他の実施例を概念的に示す平面図。
【図１１】折畳み式携帯電話機に搭載された本発明に関わる照光装置の更に他の実施例を概念的に示す平面図。
【図１２】(ａ)および(ｂ)は、従来の照光装置を搭載した電子機器の一態様である折畳み式携帯電話機を示す外観図。
【符号の説明】
【００６５】
１…携帯電話機(電子機器)、
５…外ケース(筐体)、
５Ｇ…取付溝、
５Ｈ…取付孔、
６…外装パネル、
１０…導光・照明部材、
１０Ａ…本体、
１０Ｈ…ホルダ、
１０ａ…一方の端部、
１０ｂ…他方の端部、
１０ｃ…湾曲部位、
１０ｕ…表示面、
１０ｌ…背面、
１０ｒ…シボ(凹凸部)、
２１…ＬＥＤ(第１の光源)、
２２…ＬＥＤ(第２の光源)、
３０…表示光反射手段、
１′…携帯電話機(電子機器)、
５′…外ケース(筐体)、
１０′…導光・照明部材、
２１′…ＬＥＤ(光源)、
１″…携帯電話機(電子機器)、
５″…外ケース(筐体)、
１０″…導光・照明部材、
１０ｃ″…湾曲部位、
２１″…ＬＥＤ(光源)。
【図１】
2005202318.tif 000003
【図２】
2005202318.tif 000004
【図３】
2005202318.tif 000005
【図４】
2005202318.tif 000006
【図５】
2005202318.tif 000007
【図６】
2005202318.tif 000008
【図７】
2005202318.tif 000009
【図８】
2005202318.tif 000010
【図９】
2005202318.tif 000011
【図１０】
2005202318.tif 000012
【図１１】
2005202318.tif 000013
【図１２】
2005202318.tif 000014